(57)【要約】【課題】ＦＡＸ送受信が可能なデジタル複合機において、ＦＡＸ送受信を優先的に行いつつ、ＦＡＸサーバへＦＡＸ送受信結果及び送受信データを保存する。【解決手段】デジタル複合機５は、ＦＡＸ送受信部５５１と、送信バッファ５５２及び受信バッファ５５３と、ネットワーク９を介して接続されたＦＡＸサーバ１へ、ＦＡＸ送受信部５５１による送受信記録データ及び送信データまたは受信データを送信するネットワークインタフェース５１１とを備える。ＦＡＸ送受信部５５１はサーバ１と通信不能の状態であっても、ＦＡＸの送受信が可能である。サーバ１と通信可能の場合、送受信記録データ及び送信または受信データをサーバ１へ送信する。サーバ１と通信不能となり、その後通信が復旧すると、通信不能状態であったときに送信または受信した送受信記録データ及び送信または受信データをサーバ１へ送信する。【選択図】図１
2007189567.tif 000002
【特許請求の範囲】
【請求項１】
ＦＡＸの送受信機能を備え、ＦＡＸの送信データを生成するスキャナ及びＦＡＸの受信データを印刷するプリンタを有するデジタル複合機であって、
前記スキャナが読み取った送信データを送信し、公衆回線から送られてきた受信データを受信するＦＡＸ送受信部と、
前記送信データ及び受信データを記憶するバッファと、
ネットワークを介して接続されたサーバと通信を行い、前記ＦＡＸ送受信部による送受信記録データ及び前記バッファに記憶されている送信データまたは受信データを送信するサーバインタフェースとを備え、
前記ＦＡＸ送受信部は、前記サーバインタフェースが前記サーバと通信不能の状態であっても、ＦＡＸの送受信が可能であり、
前記サーバと正常に通信を行うことができるときは、
前記サーバインタフェースは、前記ＦＡＸ送受信部が送信または受信を行うと、当該送信または受信に係る送受信記録データ及び送信または受信データを前記サーバへ送信し、
前記サーバと通信不能状態となり、その後通信が復旧すると、
前記サーバインタフェースは、前記通信不能状態であったときに前記ＦＡＸ送受信部が送信または受信した送受信記録データ及び送信または受信データを前記サーバへ送信することを特徴とするデジタル複合機。
【請求項２】
前記サーバと通信不能状態の場合、前記サーバインタフェースは所定の時間間隔で復旧確認を行い、通信が復旧していたら、前記サーバインタフェースが前記サーバへの送信を再開することを特徴とする請求項１記載のデジタル複合機。
【請求項３】
前記サーバと通信不能状態の場合、前記ＦＡＸ送受信部が１ページ分のデータの送信または受信を完了したときに通信が復旧していたら、前記サーバインタフェースが前記サーバへの送信を再開することを特徴とする請求項１記載のデジタル複合機。
【請求項４】
前記サーバと通信不能状態の場合、前記ＦＡＸ送受信部が１ジョブ分のデータの送信または受信を完了したときに通信が復旧していたら、前記サーバインタフェースが前記サーバへの送信を再開することを特徴とする請求項１記載のデジタル複合機。
【請求項５】
前記サーバと通信不能状態の場合、ユーザによる所定の操作を受け付けたときに通信が復旧していたら、前記サーバインタフェースが前記サーバへの送信を再開することを特徴とする請求項１記載のデジタル複合機。
【請求項６】
前記サーバと通信不能状態となった後、前記サーバインタフェースが前記サーバへの送信を再開するタイミングは、次の（Ａ）〜（Ｄ）の中からユーザが選択可能であることを特徴とする請求項１記載のデジタル複合機。
（Ａ）前記サーバインタフェースが所定の時間間隔で復旧確認を行い、通信が復旧していたとき
（Ｂ）前記ＦＡＸ送受信部が１ページ分のデータの送信または受信を完了したときに通信が復旧していたとき
（Ｃ）前記ＦＡＸ送受信部が１ジョブ分のデータの送信または受信を完了したときに通信が復旧していたとき
（Ｄ）ユーザによる所定の操作を受け付けたときに通信が復旧していたとき
【請求項７】
ＦＡＸ送受信部と、ＦＡＸの送信データを生成するスキャナと、ＦＡＸの受信データを印刷するプリンタとを有するデジタル複合機におけるＦＡＸ送受信記録の管理方法であって、
ネットワークを介して接続されたサーバと正常に通信を行うことができるときは、
前記ＦＡＸ送受信部は、前記スキャナが読み取った送信データを送信し、または、公衆回線から送られてきたデータを受信し、
前記ＦＡＸ送受信部が送受信をすると、当該送受信に係るＦＡＸ送受信記録データ及び送信データまたは受信データを前記サーバへ送信し、
前記サーバと通信不能状態のときは、
前記ＦＡＸ送受信部は、前記スキャナが読み取った送信データを送信し、または、公衆回線から送られてきたデータを受信し、
前記サーバと通信不能状態となり、その後通信が復旧すると、
前記通信不能状態であったときに前記ＦＡＸ送受信部が送信または受信した受信記録データ及び送信データまたは受信データを前記サーバへ送信することを特徴とするＦＡＸ送受信記録の管理方法。
【請求項８】
ＦＡＸ送受信部と、ＦＡＸの送信データを生成するスキャナと、ＦＡＸの受信データを印刷するプリンタとを有するデジタル複合機が、ＦＡＸ送受信記録を管理するためのコンピュータプログラムであって、
前記デジタル複合機に実行されると、
ネットワークを介して接続されたサーバと正常に通信を行うことができるときは、
前記ＦＡＸ送受信部は、前記スキャナが読み取った送信データを送信し、または、公衆回線から送られてきたデータを受信し、
前記ＦＡＸ送受信部が送受信をすると、当該送受信に係るＦＡＸ送受信記録データ及び送信データまたは受信データを前記サーバへ送信し、
前記サーバと通信不能状態のときは、
前記ＦＡＸ送受信部は、前記スキャナが読み取った送信データを送信し、または、公衆回線から送られてきたデータを受信し、
前記サーバと通信不能状態となった後、通信が復旧すると、
前記通信不能状態であったときに前記ＦＡＸ送受信部が送信または受信した送受信記録データ及び送信データまたは受信データを前記サーバへ送信するようになっている、ＦＡＸ送受信記録を管理するためのコンピュータプログラム。
【発明の詳細な説明】
【技術分野】
【０００１】
本発明は、デジタル複合機を用いたＦＡＸ送信システムに関し、特に、デジタル複合機とネットワークを介して接続されたサーバにＦＡＸ送受信記録を確実に保存するための技術に関する。
【背景技術】
【０００２】
スキャナ及びプリンタを備えたデジタル複合機（以下、単に複合機という）と呼ばれる装置がある。この複合機では、スキャナが画像を取り込むスキャナ機能、プリンタが印刷を行う印刷機能、及びスキャナが読み取った画像をプリンタが印刷するコピー機能などを備える。近年、この複合機にさらにＦＡＸ送受信機能を備えたものが登場している。
【０００３】
そして、このＦＡＸ送受信機能を備え複合機とネットワークを介して接続されたパソコン等に受信データを転送するシステムが、例えば特許文献１に開示されている。
【特許文献１】特開平１０−１６４３０３号公報
【発明の開示】
【発明が解決しようとする課題】
【０００４】
しかしながら、特許文献１のようなＦＡＸ受信時だけでなく、ＦＡＸ送信時にも送信したデータを、ネットワークを介して接続されたパソコン等で保存したいというニーズがある。
【０００５】
また、ＦＡＸ送受信結果のログ及び送受信した画像データを、ネットワークを介して接続されたパソコン等に保存できないときであっても、ＦＡＸの送受信が可能であれば、これを優先して行いたいときもある。
【０００６】
そこで、本発明の目的は、ＦＡＸ送受信が可能なデジタル複合機において、ＦＡＸ送受信を優先的に行いつつ、ネットワークを介して接続された機器へＦＡＸ送受信結果及び送受信した画像データを保存するための技術を提供することである。
【課題を解決するための手段】
【０００７】
本発明の一実施態様に従うデジタル複合機は、ＦＡＸの送受信機能を備え、ＦＡＸの送信データを生成するスキャナ及びＦＡＸの受信データを印刷するプリンタを有するデジタル複合機であって、前記スキャナが読み取った送信データを送信し、公衆回線から送られてきた受信データを受信するＦＡＸ送受信部と、前記送信データ及び受信データを記憶するバッファと、ネットワークを介して接続されたサーバと通信を行い、前記ＦＡＸ送受信部による送受信記録データ及び前記バッファに記憶されている送信データまたは受信データを送信するサーバインタフェースとを備える。そして、前記ＦＡＸ送受信部は、前記サーバインタフェースが前記サーバと通信不能の状態であっても、ＦＡＸの送受信が可能であり、前記サーバと正常に通信を行うことができるときは、前記サーバインタフェースは、前記ＦＡＸ送受信部が送信または受信を行うと、当該送信または受信に係る送受信記録データ及び送信または受信データを前記サーバへ送信する。また、前記サーバと通信不能状態となり、その後通信が復旧すると、前記サーバインタフェースは、前記通信不能状態であったときに前記ＦＡＸ送受信部が送信または受信した送受信記録データ及び送信または受信データを前記サーバへ送信する。
【０００８】
これにより、ＦＡＸ送受信を優先させつつ、効率的に送受信記録データ及び送信または受信データをサーバに保存できる。
【０００９】
好適な実施形態では、前記サーバと通信不能状態の場合、前記サーバインタフェースは所定の時間間隔で復旧確認を行い、通信が復旧していたら、前記サーバインタフェースが前記サーバへの送信を再開するようにしてもよい。
【００１０】
好適な実施形態では、前記サーバと通信不能状態の場合、前記ＦＡＸ送受信部が１ページ分のデータの送信または受信を完了したときに通信が復旧していたら、前記サーバインタフェースが前記サーバへの送信を再開するようにしてもよい。
【００１１】
好適な実施形態では、前記サーバと通信不能状態の場合、前記ＦＡＸ送受信部が１ジョブ分のデータの送信または受信を完了したときに通信が復旧していたら、前記サーバインタフェースが前記サーバへの送信を再開するようにしてもよい。
【００１２】
好適な実施形態では、前記サーバと通信不能状態の場合、ユーザによる所定の操作を受け付けたときに通信が復旧していたら、前記サーバインタフェースが前記サーバへの送信を再開するようにしてもよい。
【００１３】
好適な実施形態では、前記サーバと通信不能状態となった後、前記サーバインタフェースが前記サーバへの送信を再開するタイミングは、次の（Ａ）〜（Ｄ）の中からユーザが選択可能であってもよい。
（Ａ）前記サーバインタフェースが所定の時間間隔で復旧確認を行い、通信が復旧していたとき
（Ｂ）前記ＦＡＸ送受信部が１ページ分のデータの送信または受信を完了したときに通信が復旧していたとき
（Ｃ）前記ＦＡＸ送受信部が１ジョブ分のデータの送信または受信を完了したときに通信が復旧していたとき
（Ｄ）ユーザによる所定の操作を受け付けたときに通信が復旧していたとき
【発明を実施するための最良の形態】
【００１４】
以下、本発明の一実施形態に係るＦＡＸ送受信システムについて、図面を参照して説明する。
【００１５】
図１は、第１の実施形態に係るＦＡＸ送受信システムの全体構成図である。
【００１６】
本システムは、ＦＡＸサーバ１と、ＦＡＸクライアント３と、デジタル複合機（以下、単に複合機という）５とが、ネットワーク９を介して接続されている。ＦＡＸクライアント３及び複合機５は、１台のＦＡＸサーバ１に対して複数台接続することができる。
【００１７】
複合機５は、情報処理装置からなる複合機本体５１と、ユーザの入力操作を受け付ける入出力装置である操作パネル５２と、画像をスキャンして読み込むスキャナ５３と、印刷用紙等に印刷を行うプリンタ５４と、ＦＡＸ送受信を行うＦＡＸユニット５５とを備える。つまり、複合機５は、スキャナ機能、印刷機能、スキャナ機能と印刷機能を組み合わせたコピー機能及びＦＡＸ送受信機能を備える。
【００１８】
ＦＡＸサーバ１、複数のクライアント３、及び複合機本体５１は、いずれも例えば汎用的なコンピュータシステムにより構成され、以下に説明する各サーバ等内の個々の構成要素または機能は、例えば、コンピュータプログラムを実行することにより実現される。
【００１９】
ＦＡＸユニット５５は、公衆回線網と接続されていて、ＦＡＸの送受信を行うＦＡＸ送受信部５５１と、ＦＡＸ送受信部５５１が送信するための送信データを一時記憶する送信バッファ５５２と、ＦＡＸ送受信部５５１が受信した受信データを一時記憶する受信バッファ５５３と、送受信結果を示す通信結果データを記憶した通信結果ログ５５４とを備える。
【００２０】
ＦＡＸユニット５５は、スキャナ５３が読み取った画像データを複合機本体５１から受信すると、一旦送信バッファ５５２に蓄積する。ＦＡＸ送受信部５５１は、送信バッファ５５２に蓄積されている画像データを取得して、ＦＡＸ送信する。送信が完了すると、ＦＡＸ送受信部５５１は、送信バッファ５５２に蓄積されている送信済みデータを消去する。
【００２１】
ＦＡＸ送受信部５５１は、公衆回線網からＦＡＸ送信されてきたデータを受信すると、その受信データを受信バッファ５５３に一旦格納する。そして、受信バッファ５５３に格納された受信データは、複合機本体５１へ送られて、プリンタ５４で印刷される。ＦＡＸ送受信部５５１は、プリンタ５４で印刷済みの受信データを受信バッファ５５３から削除する。
【００２２】
なお、送信バッファ５５２及び受信バッファ５５３は、一体に構成されていてもよい。
【００２３】
通信結果ログ５５４には、ＦＡＸ送受信部５５１によるＦＡＸ送受信の成否など、ＦＡＸ通信結果の履歴を記憶する。例えば、通信結果ログ５５４には、ページ単位の通信結果及び複数ページからなるジョブ単位の通信結果データが記憶されている。
【００２４】
ここで、ＦＡＸユニット５５は、複合機５内の他の構成５１、５２，５３，５４とは独立にＦＡＸ送受信を行う。つまり、ＦＡＸユニット５５は、複合機本体５１から送信データを受け付けると、複合機本体５１とは独立にＦＡＸ送信を行うし、公衆回線網からＦＡＸデータが送信されてくれば、それを受信する。従って、後述するように、例えば、ネットワークで何らからトラブルが生じているような場合でも、ＦＡＸユニット５５は、それとは無関係にＦＡＸの送受信を行う。
【００２５】
複合機本体５１は、ネットワーク９を介して接続されたＦＡＸサーバ１等と通信を行うネットワークインタフェース５１１と、操作パネル５２、スキャナ５３、プリンタ５４及びＦＡＸユニット５５を制御する制御部５１２と、ＦＡＸ送受信のためのＦＡＸデータを記憶するバッファ５１３と、通信結果ログ５１４とを備える。
【００２６】
ネットワークインタフェース５１１は、サーバ１との通信状態を管理する。例えば、ネットワークインタフェース５１１は、サーバ１と正常に通信を行える状態であるか、あるいは、何らかのトラブルによりサーバ１と通信不能の状態であるかを判定する。ネットワーク９の通信状態は、次に説明する制御部５１２がネットワークステータスとして管理する。ネットワーク９が通信可能な状態のときは、ネットワークインタフェース５１１は、サーバ１へ通信結果ログ及びＦＡＸデータ（送信データ及び受信データ）を送信する。
【００２７】
制御部５１２は、操作パネル５２からのＦＡＸ送信指示を受け付けて、スキャナ５３に対して画像読み取り指示を行って、スキャナ５３が読み取った画像データを取得する。この画像データは、バッファ５１３に格納される。制御部５１２は、さらに、ＦＡＸユニット５５が公衆回線網から受信した受信データを取得して、バッファ５１３に格納する。
【００２８】
また、制御部５１２は、ＦＡＸユニット５５からＦＡＸ送受信部５５１による通信結果データの通知を受けて、通信結果ログ５１４に格納する。従って、通信結果ログ５１４には、ＦＡＸユニット５５の通信結果ログ５５４と同じ内容が記憶される。
【００２９】
制御部５１２は、ネットワーク９のステータスを管理する。例えば、ネットワーク９のトラブル等でサーバ１と通信できないときは、ネットワークステータスを「通信エラー」とする。通信が復旧すると、ネットワークステータスの「通信エラー」を解除し、「正常」とする。そして、ネットワークステータスが「通信エラー」でないときに、制御部５１２は、バッファ５１３に格納されているＦＡＸデータ及び通信結果ログ５１４に記憶されている通信結果データを、ネットワークインタフェース５１１を介してサーバ１へ送信する。
【００３０】
サーバ１は、ネットワーク９を介して接続されたＦＡＸクライアント３及び複合機５と通信を行うネットワークインタフェース１１と、通信結果ログ１２と、バックアップデータ記憶部１３とを備える。
【００３１】
ネットワークインタフェース１１は、例えば、複合機５から送られてくる通信結果データ及びＦＡＸデータを受信する。そして、ネットワークインタフェース１１は、通信結果データは通信結果ログ１２に蓄積し、ＦＡＸデータは、バックアップデータ記憶部１３に格納する。ネットワークインタフェース１１が複合機５からのデータを受信すると、受信確認を返信する。
【００３２】
バックアップデータ記憶部１３には、受信データのバックアップ１３１と、送信データのバックアップ１３２とが格納される。
【００３３】
上述のような構成を備えたＦＡＸ送受信システムにおける処理について、図２〜図６のフローチャートを用いて説明する。
【００３４】
まず、図２は、ＦＡＸ送信時の複合機本体５１の第１の処理手順を示すフローチャートである。
【００３５】
ユーザが操作パネル５２に対してＦＡＸの送信指示を入力すると、これが複合機本体５１の制御部５１２へ通知される（Ｓ１０１）。このとき、ＦＡＸ送信指示には、宛先を指定する宛先情報を含んでいてもよい。
【００３６】
制御部５１２は、このＦＡＸ送信指示の通知を受けると、スキャナ５３に画像読み取りを指示する。そして、スキャナ５３に１ページ分の画像を読み取らせ、スキャナ５３が読み取った画像データを取得して、バッファ５１３に格納する（Ｓ１０２）。
【００３７】
ここで、制御部５１２は、バッファ５１３に格納された画像データ（送信データ）を、ＦＡＸユニット５５へ送り、ＦＡＸ送信指示をする（Ｓ１０３）。先頭ページの画像データを送信するときは、ＦＡＸの宛先情報を併せて送信するようにしてもよい。
【００３８】
つぎに、制御部５１２は、ネットワークステータスが「通信エラー」であるか否かを確認する（Ｓ１０３）。そして、このステータスが「通信エラー」でなければ（Ｓ１０３：Ｎｏ）、制御部５１２は、サーバ１に対して、通信ログ５１４に格納されている通信結果データと、バッファ５１３に格納されている画像データとを送信する（Ｓ１０５）。
【００３９】
そして、サーバ１から受信確認通知を受け、サーバ１へ送信したデータが保存されたことが確認されると（Ｓ１０６：Ｙｅｓ）、制御部５１２は、バッファ５１３に格納されている画像データを破棄する（Ｓ１０８）。
【００４０】
一方、所定時間内にサーバ１から受信確認通知が来ないため、送信したデータがサーバ１に保存されたことが確認できないときは（Ｓ１０６：Ｎｏ）、ネットワーク通信ステータスを「通信エラー」にした後（Ｓ１０７）、バッファ５１３に格納されている画像データを破棄する（Ｓ１０８）。
【００４１】
ステップＳ１０４において、ネットワーク通信ステータスが「通信エラー」であったときは、ネットワークインタフェース５１１は、ＦＡＸサーバ１との接続確認を行う（Ｓ１１１）。そして、ＦＡＸサーバ１との接続ができないときは（Ｓ１１２：Ｎｏ）、ステップＳ１０８へスキップする。
【００４２】
ＦＡＸサーバ１と接続できるときは（Ｓ１１２：Ｙｅｓ）、制御部５１２は、ネットワーク通信ステータスを「通信エラー」状態から解除する（Ｓ１１３）。この場合、さらに制御部５１２は、ＦＡＸユニット５５の送信バッファ５５２に、ＦＡＸサーバ１へ未送信の画像データが残されていればこれを取得する（Ｓ１１４）。そして、制御部５１２は、ここで取得した画像データをＦＡＸサーバ１へ送信する（Ｓ１１５）。このとき、バッファ５１３に残っている未送信の画像データがあれば、これをＦＡＸサーバ１へ送信してもよい。
【００４３】
そして、サーバ１から受信確認通知を受け、サーバ１へ送信したデータが保存されたことが確認されると（Ｓ１１６：Ｙｅｓ）、ステップＳ１０５へ遷移する。一方、所定時間内にサーバ１から受信確認通知が来ないため、送信したデータがサーバ１に保存されたことが確認できないときは（Ｓ１１６：Ｎｏ）、ステップＳ１０７へ遷移する。
【００４４】
ステップＳ１０８までの処理終了後、後続のページがあるときは、ステップＳ１０２へ戻って上記処理を繰り返す（Ｓ１０９）。
【００４５】
これにより、複合機５は、ネットワーク９が正常のときは、ネットワーク９を介して接続されたＦＡＸサーバ１に対して、ＦＡＸ送信した画像データ及び送信結果データを送信後直ちに送ることができる。さらに、ネットワーク９に異常があったときでも、スキャナ５３による画像データの読み込み及びＦＡＸ送信は継続されるので、１ページ分のＦＡＸ送信がされるごとに、ネットワーク９の回復を確認し、回復していることがわかると、直ちに未送信の画像データをＦＡＸサーバ１へ送信できる。
【００４６】
次に、図３は、ＦＡＸ受信時の複合機本体５１の第１の処理手順を示すフローチャートである。
【００４７】
まず、ＦＡＸユニット５５が公衆回線網からデータを受信すると、複合機本体５１の制御部５１２がＦＡＸユニット５５からその通知を受ける（Ｓ２０１）。
【００４８】
制御部５１２は、このＦＡＸ受信通知を受けると、ＦＡＸユニット５５が受信した受信データを１ページずつ取得し、バッファ５１３に格納する（Ｓ２０２）。
【００４９】
ここで、制御部５１２は、バッファ５１３に格納された受信データを、プリンタ５４へ送り、印刷を実行させる（Ｓ２０３）。
【００５０】
つぎに、制御部５１２は、ネットワークステータスが「通信エラー」であるか否かを確認する（Ｓ２０４）。
【００５１】
このステータスが「通信エラー」でなければ（Ｓ２０４：Ｎｏ）、制御部５１２は、サーバ１に対して、通信ログ５１４に格納されている通信結果データと、バッファ５１３に格納されている受信データとを送信する（Ｓ２０５）。この送信に対して、サーバ１から受信確認通知を受け、サーバ１へ送信したデータが保存されたことが確認されると（Ｓ２０６：Ｙｅｓ）、制御部５１２は、バッファ５１３に格納されている画像データを破棄する（Ｓ２０８）。一方、所定時間内にサーバ１から受信確認通知が来ないため、送信したデータがサーバ１に保存されたことが確認できないときは（Ｓ２０６：Ｎｏ）、ネットワーク通信ステータスを「通信エラー」にした後（Ｓ２０７）、バッファ５１３に格納されている画像データを破棄する（Ｓ２０８）。
【００５２】
ステップＳ２０４において、ネットワークステータスが「通信エラー」であったときは（Ｓ２０４：Ｙｅｓ）、ネットワークインタフェース５１１は、ＦＡＸサーバ１との接続確認を行う（Ｓ２１１）。そして、ＦＡＸサーバ１との接続ができないときは（Ｓ２１２：Ｎｏ）、ステップＳ２０８へスキップする。
【００５３】
ＦＡＸサーバ１と接続できるときは（Ｓ２１２：Ｙｅｓ）、制御部５１２は、ネットワークステータスを「通信エラー」状態から解除する（Ｓ２１３）。この場合、さらに制御部５１２は、ＦＡＸユニット５５の送信バッファ５５２に、ＦＡＸサーバ１へ未送信の受信データが残されていればこれを取得する（Ｓ２１４）。そして、制御部５１２は、ここで取得した受信データをＦＡＸサーバ１へ送信する（Ｓ２１５）。このとき、バッファ５１３に残っている未送信の受信データがあれば、これをＦＡＸサーバ１へ送信してもよい。
【００５４】
そして、ＦＡＸサーバ１から受信確認通知を受け、ＦＡＸサーバ１へ送信したデータが保存されたことが確認されると（Ｓ２１６：Ｙｅｓ）、ステップＳ２０５へ遷移する。
【００５５】
一方、所定時間内にサーバ１から受信確認通知が来ないため、送信したデータがサーバ１に保存されたことが確認できないときは（Ｓ２１６：Ｎｏ）、ステップＳ２０７へ遷移する。
【００５６】
ステップＳ２０８までの処理終了後、後続のページがあるときは、ステップＳ２０２へ戻って上記処理を繰り返す（Ｓ２０９）。
【００５７】
これにより、ＦＡＸ送信の場合と同様に、複合機５は、ネットワーク９が正常のときは、ネットワーク９を介して接続されたＦＡＸサーバ１に対して、ＦＡＸ受信した画像データ及び送信結果データを送信後直ちに送ることができる。さらに、ネットワーク９に異常があったときでも、ＦＡＸ受信は継続されるので、１ページ分の画像データを受信するごとに、ネットワーク９の回復を確認し、回復していることがわかると、直ちに未送信の画像データをＦＡＸサーバ１へ送信できる。
【００５８】
次に、図４は、ＦＡＸ送信時の複合機本体５１の第２の処理手順を示すフローチャートである。図２に示す第１の受信時の処理手順では、１ページごとにネットワークの復旧確認を行っているが、この処理手順では、１ページ以上からなる１ジョブ単位に行う。
【００５９】
まず、ユーザが操作パネル５２に対してＦＡＸの送信指示を入力すると、これが複合機本体５１の制御部５１２へ通知される（Ｓ３０１）。このとき、ＦＡＸ送信指示には、宛先を指定する宛先情報を含んでいてもよい。
【００６０】
このＦＡＸ送信指示の通知を受けると、ネットワークインタフェース５１１が、ＦＡＸサーバ１との接続確認を行う（Ｓ３０２）。そして、ＦＡＸサーバ１との接続ができないときは（Ｓ３０２：Ｎｏ）、制御部５１２がネットワークステータスを「通信エラー」とする（Ｓ３０３）。一方、ＦＡＸサーバ１と接続できたときは（Ｓ３０２：Ｙｅｓ）、制御部５１２がネットワークステータスを正常に戻し、「通信エラー」状態を解除する（Ｓ３０４）。
【００６１】
次に、制御部５１２がスキャナ５３に画像読み取りを指示する。そして、スキャナ５３に１ページ分の画像を読み取らせ、スキャナ５３が読み取った画像データを取得して、バッファ５１３に格納する（Ｓ３０５）。
【００６２】
ここで、制御部５１２は、バッファ５１３に格納された画像データ（送信データ）を、ＦＡＸユニット５５へ送り、ＦＡＸ送信指示をする（Ｓ３０６）。先頭ページの画像データを送信するときは、ＦＡＸの宛先情報を併せて送信する。
【００６３】
つぎに、制御部５１２は、ネットワークステータスが「通信エラー」であるか否かを確認する（Ｓ３０７）。そして、このステータスが「通信エラー」でなければ（Ｓ３０７：Ｎｏ）、制御部５１２は、サーバ１に対して、通信ログ５１４に格納されている通信結果データと、バッファ５１３に格納されている画像データとを送信する（Ｓ３０８）。
【００６４】
そして、サーバ１から受信確認通知を受け、サーバ１へ送信したデータが保存されたことが確認されると（Ｓ３０９：Ｙｅｓ）、制御部５１２は、バッファ５１３に格納されている画像データを破棄する（Ｓ３１０）。一方、所定時間内にサーバ１から受信確認通知が来ないため、送信したデータがサーバ１に保存されたことが確認できないときは（Ｓ３０９：Ｎｏ）、ネットワーク通信ステータスを「通信エラー」にした後（Ｓ３１１）、バッファ５１３に格納されている画像データを破棄する（Ｓ３１０）。
【００６５】
ステップＳ３０７において、ネットワークステータスが「通信エラー」であったときは（Ｓ３０７：Ｙｅｓ）、ステップＳ３１０までスキップする。
【００６６】
ステップＳ３１０までの処理終了後、後続のページがあるときは、ステップＳ３０５へ戻って上記処理を繰り返す（Ｓ３１１）。
【００６７】
これにより、第１の処理手順の場合と同様に、複合機５は、ネットワーク９が正常のときは、ネットワーク９を介して接続されたＦＡＸサーバ１に対して、ＦＡＸ送信した画像データ及び送信結果データを送信後直ちに送ることができる。一方、ネットワーク９に異常があったときは、第１の処理手順の場合と異なり、１ページ単位でネットワーク９の回復を確認し、回復していることがわかると、直ちに未送信の画像データをＦＡＸサーバ１へ送信できる。
【００６８】
また、図４には、ＦＡＸ送信時に、ジョブ単位でネットワークの回復の確認を行っているが、ＦＡＸ受信の場合でも、同様にジョブ単位にネットワークの回復を確認することができる。
【００６９】
次に、図５及び図６は、ＦＡＸ送信時の複合機本体５１の第３の処理手順を示すフローチャートである。
【００７０】
図５はＦＡＸ送信及びサーバへのデータ送信制御を示し、図６はネットワークステータスを通信エラーから復帰させるためのポーリング制御を示す。このとき、制御部５１２が図５の処理及び図６の処理を並列に行ってもよいし、制御部５１２が図５の処理を行い、別の制御部が図６の処理を並列に行うようにしてもよい。
【００７１】
まず、図５を参照すると、ユーザが操作パネル５２に対してＦＡＸの送信指示を入力すると、これが複合機本体５１の制御部５１２へ通知される（Ｓ４０１）。このとき、ＦＡＸ送信指示には、宛先を指定する宛先情報を含んでいてもよい。
【００７２】
制御部５１２は、このＦＡＸ送信指示の通知を受けると、スキャナ５３に画像読み取りを指示する。そして、スキャナ５３に１ページ分の画像を読み取らせ、スキャナ５３が読み取った画像データを取得して、バッファ５１３に格納する（Ｓ４０２）。
【００７３】
ここで、制御部５１２は、バッファ５１３に格納された画像データ（送信データ）を、ＦＡＸユニット５５へ送り、ＦＡＸ送信指示をする（Ｓ４０３）。先頭ページの画像データを送信するときは、ＦＡＸの宛先情報を併せて送信するようにしてもよい。
【００７４】
つぎに、制御部５１２は、ネットワークステータスが「通信エラー」であるか否かを確認する（Ｓ４０４）。そして、このステータスが「通信エラー」でなければ（Ｓ４０４：Ｎｏ）、制御部５１２は、サーバ１に対して、通信ログ５１４に格納されている通信結果データと、バッファ５１３に格納されている画像データとを送信する（Ｓ４０５）。
【００７５】
そして、サーバ１から受信確認通知を受け、サーバ１へ送信したデータが保存されたことが確認されると（Ｓ４０６：Ｙｅｓ）、制御部５１２は、バッファ５１３に格納されている画像データを破棄する（Ｓ４０８）。一方、所定時間内にサーバ１から受信確認通知が来ないため、送信したデータがサーバ１に保存されたことが確認できないときは（Ｓ４０６：Ｎｏ）、ネットワーク通信ステータスを「通信エラー」にした後（Ｓ４０７）、バッファ５１３に格納されている画像データを破棄する（Ｓ４０８）。
【００７６】
ステップＳ４０４において、ネットワーク通信ステータスが「通信エラー」であったときは、ステップＳ４０８へスキップする。
【００７７】
ステップＳ４０８までの処理終了後、後続のページがあるときは、ステップＳ４０２へ戻って上記処理を繰り返す（Ｓ４０９）。
【００７８】
これに対して、図６に示す処理が、図５の処理と並列に実行される。
【００７９】
すなわち、制御部５１２が、ネットワークステータスが「通信エラー」であるか否かを確認する（Ｓ５０１）。そして、このステータスが「通信エラー」でなければ（Ｓ５０１：Ｎｏ）、制御部５１２は、所定の待ち時間をおいてステップＳ５０１を繰り返す。
【００８０】
このステータスが「通信エラー」であれば（Ｓ５０１：Ｙｅｓ）、ネットワークインタフェース５１１は、ＦＡＸサーバ１との接続確認を行う（Ｓ５０２）。そして、ＦＡＸサーバ１との通信できないときは（Ｓ５０２：Ｎｏ）、ネットワークインタフェース５１１は、所定の待ち時間をおいてステップＳ５０２を繰り返す。
【００８１】
ＦＡＸサーバ１と接続できるときは（Ｓ５０２：Ｙｅｓ）、制御部５１２は、ネットワークステータスの「通信エラー」状態を解除する（Ｓ５０３）。この場合、さらに制御部５１２は、ＦＡＸユニット５５の送信バッファ５５２に、ＦＡＸサーバ１へ未送信の画像データが残されていればこれを取得する（Ｓ５０４）。そして、制御部５１２は、ここで取得した画像データをＦＡＸサーバ１へ送信する（Ｓ５０５）。
【００８２】
そして、サーバ１から受信確認通知を受け、サーバ１へ送信したデータが保存されたことが確認されると（Ｓ５０６：Ｙｅｓ）、ステップＳ５０１へ戻る。一方、所定時間内にサーバ１から受信確認通知が来ないため、送信したデータがサーバ１に保存されたことが確認できないときは（Ｓ５０６：Ｎｏ）、ネットワーク通信ステータスを「通信エラー」にした後（Ｓ５０７）、ステップＳ５０１へ戻る。
【００８３】
これにより、第１、第２の処理手順の場合と同様に、複合機５は、ネットワーク９が正常のときは、ネットワーク９を介して接続されたＦＡＸサーバ１に対して、ＦＡＸ送信した画像データ及び送信結果データを送信後直ちに送ることができる。一方、ネットワーク９に異常があったときは、第１、第２の処理手順の場合と異なり、所定の時間間隔でネットワーク９の回復を確認し、回復していることがわかると、直ちに未送信の画像データをＦＡＸサーバ１へ送信できる。
【００８４】
また、第３の処理手順において、ネットワーク９の回復を確認するタイミングを、所定の時間間隔ではなく、操作パネル５２に対してユーザが所定の操作を行ったときに行うようにしてもよい。
【００８５】
なお、図５，図６では、ＦＡＸ送信時に、所定の時間間隔でネットワークの回復の確認を行っているが、ＦＡＸ受信の場合でも、同様に所定の時間間隔でネットワークの回復を確認することができる。
【００８６】
さらに、ネットワーク９の回復を確認するタイミングとしては、上述したように、ページ単位、ジョブ単位、所定の時間間隔など種々のものが考えられる。そして、本実施形態に係るＦＡＸ送受信システムは、ユーザの指示に基づいて、上述した種々のタイミングのいずれか一つを選択可能である。
【００８７】
また、上述の実施形態では、ネットワークステータスに関わらず、ＦＡＸ送受信ための処理が行われる。すなわち、ネットワークステータスが「通信エラー」のときでも、ＦＡＸ送信時には、スキャナ５３が画像データを読み込んでＦＡＸユニット５５が送信を行い、ＦＡＸ受信時には、ＦＡＸユニット５５が受信したデータをプリンタ５４が印刷する。
【００８８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８９】
例えば、送信または受信データをＦＡＸサーバにバックアップしないときは、ＦＡＸサーバへ送信または受信データを送信するための処理は省略できる。
【図面の簡単な説明】
【００９０】
【図１】本発明の第１の実施形態に係るＦＡＸ送受信システムの全体構成図である。
【図２】ＦＡＸ送信時の複合機本体５１の第１の処理手順を示すフローチャートである。
【図３】ＦＡＸ受信時の複合機本体５１の処理手順を示すフローチャートである。
【図４】ＦＡＸ送信時の複合機本体５１の第２の処理手順を示すフローチャートである。
【図５】ＦＡＸ送信時の複合機本体５１の第３の処理手順を示すフローチャートである。
【図６】ＦＡＸ送信時の複合機本体５１の第３の処理手順を示すフローチャートである。
【符号の説明】
【００９１】
１…サーバ、３…クライアント、５…デジタル複合機、５１…複合機本体、５２…操作パネル、５３…スキャナ、５４…プリンタ、５５…ＦＡＸユニット。
【図１】
2007189567.tif 000003
【図２】
2007189567.tif 000004
【図３】
2007189567.tif 000005
【図４】
2007189567.tif 000006
【図５】
2007189567.tif 000007
【図６】
2007189567.tif 000008